(57)【要約】【課題】画像条件設定の入力がし易く、複数台並べた時、１台毎に、正確な画像条件設定ができる、表示装置を提供する。【解決手段】映像信号に従い表示される表示部15と、制御部4と、受信した無線信号を入力信号に変換し、前記制御部4へ出力する受信部7と、表示装置1のＩＤコードを記憶する記憶部9とを備え、前記受信部7への入力に応じて、前記制御部4はＩＤ認識機能を実行するか否かを決定する。更に、前記ＩＤ認識機能が実行された場合、前記受信部7が最初に受信したＩＤコードが前記記憶部9に記憶される。【選択図】図１
2005157160.tif 000002
【特許請求の範囲】
【請求項１】
映像信号に従い表示される表示部と、制御部と、受信した無線信号を入力信号に変換し、前記制御部へ出力する受信部と、表示装置のＩＤコードを記憶する記憶部とを備え、前記受信部への入力に応じて、前記制御部はＩＤ認識機能を実行するか否かを決定する事を特徴とする表示装置。
【請求項２】
前記ＩＤ認識機能が実行された場合、前記受信部が最初に受信したＩＤコードが前記記憶部に記憶される事を特徴とする請求項１の表示装置。
【請求項３】
前記受信部が所定の入力を受信した場合、前記制御部は前記表示部の一部に、前記記憶されたＩＤコードを含むＩＤコード催促画面を表示させる事を特徴とする請求項２の表示装置。
【請求項４】
前記制御部は、前記受信部が２回目に受信したＩＤコードが前記記憶されたＩＤコードと一致したと判定すると、前記表示部の一部に、画像条件設定画面を表示させる事を特徴とする請求項３の表示装置。
【請求項５】
前記画像条件設定画面により、前記受信部が特定入力を受信した場合、前記制御部は前記表示部に対し、前記特定入力に従う画像条件にて表示させる事を特徴とする請求項４の表示装置。
【請求項６】
前記表示部は液晶表示部からなり、前記映像信号が入力される入力部を設け、前記表示装置は液晶表示モニターである事を特徴とする請求項１から請求項５までの何れか１つの項に記載した表示装置。
【発明の詳細な説明】
【技術分野】
【０００１】
本発明は表示装置に関する。
【背景技術】
【０００２】
従来、この種の表示装置は例えば、特許文献１に示されている。この特許文献１の図１において、映像信号に従い表示される表示部１２と、入力部１３と、制御部１が設けられている。そして、入力部１３に入力されると、制御部１は表示部１２の一部に、特定表示を行わせる。
【特許文献１】特開平１１−３０５７３７号公報
【発明の開示】
【発明が解決しようとする課題】
【０００３】
上記装置では、表示部１２に隣接した下の部分に入力部が位置している。そのため、表示部１２が大型の場合、使用者は特定表示を見ながら、画像条件設定の入力が困難な、第１の欠点がある。この欠点を解消するために、本発明者は、無線式の入力部とリモコンとを設けた。しかし、展示会などで、複数の表示装置を比較的密接して並べた場合、ユーザは１個のリモコンで表示装置Ａの画像条件設定をしたとする。この時、リモコンが送信する無線信号により、表示装置Ａの隣に位置する表示装置Ｂも、同一の画像条件設定が自動的になされる、第２の欠点がある。そのため、表示装置Ａとは特性が異なる表示装置Ｂは最適の画像条件から外れる、問題が生じる。
【０００４】
そこで本発明は、この様な従来の欠点を考慮して、画像条件設定の入力がし易く、複数台並べた時、１台毎に、正確な画像条件設定ができる、表示装置を提供する。
【課題を解決するための手段】
【０００５】
請求項１の本発明では、映像信号に従い表示される表示部と、制御部と、受信した無線信号を入力信号に変換し、前記制御部へ出力する受信部と、表示装置のＩＤコードを記憶する記憶部とを備え、前記受信部への入力に応じて、前記制御部はＩＤ認識機能を実行するか否かを決定する。
【０００６】
請求項２の本発明では、前記ＩＤ認識機能が実行された場合、前記受信部が最初に受信したＩＤコードが前記記憶部に記憶される。
【０００７】
請求項３の本発明では、前記受信部が所定の入力を受信した場合、前記制御部は前記表示部の一部に、前記記憶されたＩＤコードを含むＩＤコード催促画面を表示させる。
【０００８】
請求項４の本発明では、前記制御部は、前記受信部が２回目に受信したＩＤコードが前記記憶されたＩＤコードと一致したと判定すると、前記表示部の一部に、画像条件設定画面を表示させる。
【０００９】
請求項５の本発明では、前記画像条件設定画面により、前記受信部が特定入力を受信した場合、前記制御部は前記表示部に対し、前記特定入力に従う画像条件にて表示させる。
【００１０】
請求項６の本発明では、前記表示部は液晶表示部からなり、前記映像信号が入力される入力部を設け、前記表示装置は液晶表示モニターである。
【発明の効果】
【００１１】
請求項１の本発明では、映像信号に従い表示される表示部と、制御部と、受信した無線信号を入力信号に変換し、制御部へ出力する受信部と、表示装置のＩＤコードを記憶する記憶部とを備え、受信部への入力に応じて、制御部はＩＤ認識機能を実行するか否かを決定する。この様に、受信部は無線信号を受信するので、リモコン操作ができ、従来の固定方式に比べ、画像条件設定の入力が容易にできる。また、ＩＤ認識機能を選択できるので表示装置が複数個並ぶ場合は、上記機能を実行し、表示装置が１個の場合は、上記機能を実行しなければ良い。この様に、選択の幅ができ、ユーザにとって利便性が向上する。
【００１２】
請求項２の本発明では、ＩＤ認識機能が実行された場合、受信部が最初に受信したＩＤコードが記憶部に記憶される。上記構成により、この表示装置のＩＤコードが正しく登録される。
【００１３】
請求項３の本発明では、受信部が所定の入力を受信した場合、制御部は表示部の一部に記憶されたＩＤコードを含むＩＤコード催促画面を表示させる。この様に、画面は登録されたＩＤコードを表示するので、ユーザはＩＤコードを正しく入力できる。また、ＩＤコードを入力する様に、催促する画面を表示するので、ユーザは間違いなく、ＩＤコードの入力操作を行う事ができる。
【００１４】
請求項４の本発明では、制御部は、受信部が２回目に受信したＩＤコードが前記記憶されたＩＤコードと一致したと判定すると、表示部の一部に、画像条件設定画面を表示させる。上記構成により、ＩＤコードが一致した時のみに、画像条件設定画面が表示する。その結果、リモコンが送信する無線信号により、画像条件設定した表示装置Ａの隣に位置する表示装置Ｂが同一の画像条件で設定される事が防止される。何故ならば、記憶部に固有のＩＤコードが登録される表示装置は、１台に限定されるからである。
【００１５】
請求項５の本発明では、画像条件設定画面により、受信部が特定入力を受信した場合、制御部は表示部に対し、特定入力に従う画像条件にて表示させる。上記構成により、特性が異なる各表示装置に対し、最適の画像条件を正確に設定する事ができる。
【００１６】
請求項６の本発明では、表示部は液晶表示部からなり、映像信号が入力される入力部を設け、表示装置は液晶表示モニターである。この様にして、各種タイプ（解像度が各々異なる）の映像信号が入力される液晶表示モニターにとって、複数台並べられて、リモコンにより画像条件を設定した場合、個々の液晶表示モニターに対し、最適の画像条件を正確に設定できる。
【発明を実施するための最良の形態】
【００１７】
以下に、図１と図２に従い、本発明を実施するための最良の形態に係る表示装置１を説明する。図１は、この表示装置１のブロック図である。図２は、表示装置１と共に用いられるリモコン２の正面図である。
【００１８】
これらの図において、入力部３は例えば、コネクタ等からなり、外部機器（パーソナルコンピュータであり、以下にパソコンと呼ぶ、とＤＶＤ再生機などのこと）がケーブル（図示せず）等を介して接続されている。
【００１９】
入力部３は、接続されたパソコン等から、映像信号が入力される。映像信号は、画像信号Ｒ，Ｇ，Ｂと、水平同期信号ＨＳと、垂直同期信号ＶＳ等からなる。入力部３は、制御部４に対して、この映像信号を出力する。
【００２０】
制御部４は例えば、ＡＤ変換部と、信号処理部と、中央演算装置ＣＰＵと、データ変換部ＯＳＤからなる。ＡＤ変換部は、入力された画像信号Ｒ，Ｇ，Ｂ（アナログ値）をデジタル値に変換するものである。信号処理部は入力された画像信号（デジタル値）を、液晶パネル５（後述）の画像サイズ（例えば２９インチ）に従う画像データ（Ｒ、Ｇ、Ｂのデジタル値）に変換し、伝送器６に対し、この画像データを出力する。
【００２１】
中央演算装置ＣＰＵは、各々の部品を制御するものである。データ変換部ＯＳＤは、中央演算装置ＣＰＵから、ユーザによる調整等をガイドするメッセージ（後述）等が入力される。データ変換部ＯＳＤは、メッセージを表示データに変換し、中央演算装置ＣＰＵに対し、この表示データを出力するものである。
【００２２】
受信部７は例えば、受光素子と、増幅器と、変換器等からなる。リモコン２は、例えば電気信号を赤外線光に重畳した無線信号を送信する。受信部７は上記無線信号を受け取りこの無線信号から上記電気信号（入力信号）を抽出する。即ち、受信部７は、受信した無線信号を入力信号に変換し、制御部４に対して、この入力信号を出力する。
【００２３】
ラム８はランダムアクセスメモリであり、この表示装置１の動作に必要なデータが記憶されており、制御部４に接続されている。記憶部９は例えば、ＥＰＲＯＭ（自由に情報を書き込めるロム）等からなる。記憶部９は、表示装置１のＩＤコード（後述）を記憶し、かつ中央演算装置ＣＰＵ自身の制御プログラムを記憶している。
【００２４】
伝送器６は、入力された画像データを、低レベル差動伝送信号ＬＶＤＳに変換し、駆動部１０に対し、この信号ＬＶＤＳを出力する。ＤＣ−ＤＣ変換器１１は、直流電圧（例えば１４Ｖ）が入力されると、所定の各直流電圧（例えば、１２Ｖと５Ｖと３．３Ｖ）を出力する。この様に、ＤＣ−ＤＣ変換器１１は、制御部４と、伝送器６と、駆動部１０等に対し、各々、所定電圧を供給する。
【００２５】
これらの入力部３と、制御部４と、伝送器６と、受信部７と、ラム８と、記憶部９と、ＤＣ−ＤＣ変換器１１などは、回路基板上に固定されている。上記部品３，４，６，７，８，９，１１と回路基板などにより、基板組立品１２は構成されている。
【００２６】
液晶パネル５は例えば、２枚のガラス板の中に液晶が封入されたものからなる。下ガラス板の表面上に、複数のソース電極と、複数のゲート電極が行列状に形成され、各画素毎に、各ＴＦＴが形成されている。
【００２７】
駆動部１０は例えば、ソースドライバと、ゲートドライバ等からなる。ソースドライバは、上記複数のソース電極に接続されている。ゲートドライバは、上記複数のゲート電極に接続されている。この様に、駆動部１０は、液晶パネル５に設けられた各ソース電極および各ゲート電極を駆動するものである。
【００２８】
バックライト１３は液晶パネル５を照光するものである。インバータ１４はバックライト１３を駆動するものである。これらの液晶パネル５と、駆動部１０と、バックライト１３と、インバータ１４等により、表示部１５は構成されている。この様に、表示部１５は映像信号に従い、表示される。
【００２９】
プラグ１６の出力側はコネクタ１７を介して、第１電源回路１８および第２電源回路１９に接続されている。第１電源回路１８および第２電源回路１９は共に、トランスや整流回路などからなり、所定の電圧を持つ直流電圧を供給するものである。
【００３０】
以上の部品により、この表示装置１は構成されている。この様に、表示部１５は液晶表示部からなり、映像信号が入力される入力部３が設けられている。表示装置１は望ましくは、液晶表示モニターである。
【００３１】
図２において、リモコン２は例えば、電気信号を赤外線光に重畳した無線信号を送信する。リモコン２において、運転スイッチ２０と、ディスプレイ選択用キー２１と、ＰＣ選択用キー２２と、ＡＶ選択用キー２３とが設けられている。右キー２４と、左キー２５とアップキー２６と、ダウンキー２７が設けられている。また、メニューキー２８と、実行キー２９と、ミュートキー３０が設けられている。なお、右キー２４と、左キー２５は音量調節用のキーも兼ねる。
【００３２】
更に、リモコン２において、テンキー３１，３２，３３，３４，３５，３６，３７，３８，３９，４０が設けられている。また、ピップキー４１と、フリーズキー４２が設けられている。これらのキー２０〜４２等により、このリモコン２は構成されている。
【００３３】
次に、図１と図２に従い、通常表示モードにおける、表示装置１の動作を説明する。最初に、ユーザはリモコン２の運転スイッチ２０を押す。この時、第１電源回路１８および第２電源回路１９は、所定の直流電圧を出力する。上記出力により、部品１１，６，４，１４，１３，１０等に対し、所定の電圧が供給される。この時、制御部４による制御動作は開始する。
【００３４】
次に制御部４は、入力部３を介して、映像信号に取り込ませる。制御部４は、取り込まれた映像信号を解析し、その映像信号の中から表示パラメータ（解像度など）を取り出し映像信号のモードを決定する。
【００３５】
そして制御部４は、この表示パラメータが記憶部９に記憶されているか否かをサーチする。もしも、この表示パラメータが記憶されていれば、制御部４は表示部１５に対し、映像信号に従う表示を行わせる。
【００３６】
即ち、上記映像信号中の画像信号Ｒ，Ｇ，Ｂは入力部３を通り、制御部４により、必要なレベルに調整され、デジタル値に変換される。このデジタル値は制御部４により、適切な画像サイズと周波数に変換され、伝送器６へ出力される。
【００３７】
伝送器６は、入力された上記画像データ（デジタル値）を、低レベル差動伝送信号ＬＶＤＳに変換する。伝送器６は駆動部１０に対し、上記信号ＬＶＤＳを出力する。この様にして、表示部１５はパソコン等より出力された映像信号に従い、通常表示を行う。
【００３８】
次に、主に図３ないし図５に従い、画像条件設定表示モードにおける、表示装置１の動作を説明する。図３は表示装置１における、画像条件設定モードを示すフローチャートである。図４はＩＤコード催促画面の一例である。図５は画像条件設定画面の一例である。
【００３９】
最初にユーザは、リモコン２のメニューキー２８を押したとする。この時、メニュー表示指示信号は、リモコン２から、受信部７を介して、制御部４へ入力される。制御部４はメニュー表示指示信号に従い、記憶部９に記憶されたメニュー情報を、データ変換部ＯＳＤへ出力する。
【００４０】
データ変換器ＯＳＤは、メニュー情報をメニュー表示データに変換し、中央演算装置ＣＰＵへ出力する。中央演算装置ＣＰＵは、伝送器６および駆動部１０を介して、液晶パネル５に対し、メニュー表示データを出力する。
【００４１】
その結果、液晶パネル５の一部に、「メニュー」が表示される。そのメニューの一部は例えば「ＩＤ認識機能を使用する、使用しない」という内容である。例えば、ユーザはリモコン２の左キー２５を押すことにより、表示部１５に表示され、アクティブ化された「使用する」を選択し、リモコン２の実行キー２９を押したとする。
【００４２】
この時、制御部４（詳細には、中央演算装置ＣＰＵ）は、ＩＤ認識機能か否かの判定を肯定する（図３のＳ１参照）。この様に、受信部７の入力に応じて（即ち、リモコン２により「ＩＤ認識機能を使用する、使用しない」が選択されたこと）、制御部４はＩＤ認識機能を実行するか否かを決定する。
【００４３】
上記説明の様に、ＩＤ認識機能が選択された場合、制御部４はＩＤコードが登録か否かを判定する（図３のＳ２参照）。
【００４４】
仮に、上記メニューの一部において「ＩＤコードは？」の隣の位置において、ユーザがリモコン２におけるキー４０と３１を順に押したとすると、制御部４はＳ２の判定を肯定する。そして制御部４は記憶部９に対して、ＩＤコード０１を記憶させる。
【００４５】
即ち、ＩＤ認識機能が実行された場合（Ｓ１参照）、受信部７が最初に受信したＩＤコード（即ち、０１）は記憶部９に記憶（登録）される（Ｓ２参照）。この様に、１台の表示装置１に対して、ＩＤコード（例えば、０１）を登録させる場合、他の表示装置と離して、この表示装置１に登録させた方が良い。他の表示装置に対し、同一のＩＤコードが登録される事を防止するためである。この様にして、他の表示装置（図示せず）に対して、各々、ＩＤコードとして、０２，０３，０４，０５，・・・等を登録する。
【００４６】
次に、制御部４は、メニューキー２８が入力されたか否かを判定する（図３のＳ３を参照）。仮に、ユーザは、リモコン２のメニューキー２８を再び押すと、制御部４はＳ３の判定を肯定する。
【００４７】
そして制御部４は表示部１５に対して、ＩＤコード催促画面を表示させる（図３のＳ４および図４を参照）。図４において、Ｓ２で記憶（登録）されたＩＤコードが表示されると共に、ＩＤコードを入力する様に催促するメッセージ４３が表示される。
【００４８】
即ち、受信部７が所定の入力（例えば、メニューキー２８が押されたこと）を受信した場合（Ｓ３参照）、制御部４は、表示部１５の一部に、記憶されたＩＤコード（０１）を含むＩＤコード催促画面を表示させる（図３のＳ４および図４を参照）。
【００４９】
次に制御部４は、ＩＤコードが入力か否かを判定する（図３のＳ５参照）。仮に、ユーザはＩＤコード催促画面に従って、リモコン２に設けられたキー４０と３１を順に押したとする。この時、制御部４は、Ｓ５の判定を肯定する。
【００５０】
そして制御部４は、ＩＤコードが一致しているか否かを判定する（図３のＳ６参照）。上記説明では、記憶部９に登録されたＩＤコード（０１）と、２回目入力されたＩＤコード（０１）は一致するので、制御部４はＳ６の判定を肯定する。
【００５１】
次に制御部４は表示部１５に対して、画像条件設定画面を表示させる（図３のＳ７および図５を参照）。図５において、画像条件が表示される。画像条件は例えば、Brightnessと、Contrastと、Image Adjustと、Aspect Ratioと、Color Temperatureと、Mode Info.である。
【００５２】
Brightnessは表示の明るさを示す。Contrastは白黒比を示す。Image Adjustは画面の大きさを示す。Aspect Ratioは画面の縦横比を示す。Color Temperatureは、画面の赤味と青味の調整度を示す。Mode Info.は画面の解像度を示す。
【００５３】
即ち、制御部４は、受信部７が２回目に受信したＩＤコード（Ｓ５参照）が記憶されたＩＤコードと一致したと判定すると（Ｓ６参照）、表示部１５の一部に、画像条件設定画面４４を表示させる（Ｓ７参照）。
【００５４】
次に制御部４は、条件設定が終了したか否かを判定する（図３のＳ８参照）。仮に、図５において、ユーザがBrightnessを選択し、リモコン２の実行キー２９を押したとする。この時、表示部１５は「Brightness設定画面」（図示せず）を表示させる。この画面は例えば「（暗い）１，２，３，４，５（明るい）」等である。仮にユーザは、リモコン２に設けられた右キー２４を押して、上記画面の「４」を選択し、リモコン２に設けられた実行キー２９を押すと、Brightnessが４に設定される。
【００５５】
同様に、画像条件設定画面において、ユーザは「Contrast設定画面」と、「Image Adjust設定画面」と、「Aspect Ratio設定画面」と、「Color Temperature設定画面」と、「Mode Info.設定画面」（いずれも図示せず）において、適宜、各条件を選択し、各々、実行キー２９を押すと、画像条件設定が終了する。この時、制御部４は、図３のＳ８の判定を肯定する。
【００５６】
次に制御部４は表示部１５に対して、画像条件を設定させる（図３のＳ９参照）。即ち、制御部４は表示部１５に対して、Brightnessは４に設定し、Contrastと、Image Adjustと、Aspect Ratioと、Color Temperatureと、Mode Info.を、Ｓ８で実施したレベルに設定する。
【００５７】
即ち、画像条件設定画面４４により、受信部７が特定入力を受信した場合（例えばBrightnessにおいて、４が選択されたなどの事であり、Ｓ８を参照）、制御部４は上記特定入力に従う画像条件にて表示される（Ｓ９参照）。
【００５８】
以上の動作により、画像条件設定モードを終了すると、表示部１５の画面は、適正な画像条件の基に、入力される映像信号に従い、適正な表示が行われる。
【図面の簡単な説明】
【００５９】
【図１】本発明を実施するための最良の形態に係る表示装置１のブロック図である。
【図２】上記表示装置１と共に用いられるリモコン２の平面図である。
【図３】上記表示装置１における画像条件設定モードを示すフローチャートである。
【図４】ＩＤコード催促画面の一例を示す図面である。
【図５】画像条件設定画面の一例を示す図面である。
【符号の説明】
【００６０】
３  入力部
４  制御部
７  受信部
９  記憶部
１５  表示部
【図１】
2005157160.tif 000003
【図２】
2005157160.tif 000004
【図３】
2005157160.tif 000005
【図４】
2005157160.tif 000006
【図５】
2005157160.tif 000007